(57)【要約】【課題】  盛上げタップで加工した雌ねじの入り口側に発生する大きなシームにボルトのねじ山が入り、締結不良や雌ねじ損傷の発生を防ぐ目的に、雌ねじ入り口側のシームを抑制する盛上げタップを供給する。【解決手段】  盛上げタップ１の平行ねじ部５で盛り上げられた雌ねじ入り口側の不完全ねじ部に発生するシームを、平行ねじ部５より大きくなる再盛上げねじ部６で、再度盛り上げて雌ねじ入り口部のシームを小さくすることを特徴とする。【選択図】  図８
2006159363.tif 000002
【特許請求の範囲】
【請求項１】
外径部が先細りのテーパ状になっている食付き部３と、その食付き部３に連なるねじ山加工部４とを具える盛上げタップ１において、盛上げタップにて加工した雌ねじ入り口側の不完全ねじ部のシーム１４を抑制する目的として、前記ねじ山加工部４のシャンク部８側後方に、雌ねじ入り口側の不完全ねじ部１０を再盛り上げするための再盛上げねじ部６を具えたことを特長とする盛上げタップ。
【請求項２】
外径部が先細りのテーパ状になっている食付き部３と、その食付き部３に連なるねじ山加工部４とを具える盛上げタップ１において、盛上げタップにて加工した雌ねじ入り口側の不完全ねじ部のシーム１４を抑制する目的として、前記ねじ山加工部４のシャンク部８側後方に、雌ねじ入り口側の不完全ねじ部１０を再盛り上げするために、ねじ山加工部４の食付き部３側より大きいねじの径となる平行なねじの再盛上げねじ部６を具えたことを特長とする盛上げタップ。
【請求項３】
前記ねじ山加工部４のシャンク部８側後方に、ねじ山加工部４の食付き部３側より大きいねじの径となる平行なねじの再盛上げねじ部６を具えるのに、凸部１９の１凸〜盛上げタップ１回転にある凸数の範囲で階段状に大きくすることを特長とする盛上げタップ。
【請求項４】
外径部が先細りのテーパ状になっている食付き部３と、その食付き部３に連なるねじ山加工部４とを具える盛上げタップ１において、盛上げタップにて加工した雌ねじ入り口側の不完全ねじ部のシーム１４を抑制する目的として、前記ねじ山加工部４のシャンク部８側後方に、雌ねじ入り口側の不完全ねじ部１０を再盛り上げするために、ねじの径がテーパ状に大きくなる再盛上げねじ部６を具えたことを特長とする盛上げタップ。
【請求項５】
外径部が先細りのテーパ状になっている食付き部３と、その食付き部３に連なるねじ山加工部４とを具える盛上げタップ１において、盛上げタップにて加工した雌ねじの入り口側の不完全ねじ部のシーム１４を抑制する目的として、前記ねじ加工部４のシャンク部８側後方に、雌ねじ入り口側の不完全ねじ部１０を再盛り上げするために、正規のねじ山ピッチＰよりピッチが小さくなるように補正したねじ山ピッチＰ１の再盛上げねじ部６を具えたことを特長とする盛上げタップ。
【発明の詳細な説明】
【技術分野】
【０００１】
本発明は、雌ねじの塑性加工用の盛上げタップに関するものである。
【背景技術】
【０００２】
従来の盛上げタップは、平行ねじ部５よりシャンク部８側が細い盛上げタップのねじ部２は図６に示すように、食付き部３と平行ねじ部５で構成される。そして、平行ねじ部５よりシャンク部８側が太い盛上げタップのねじ部２は図７に示すように、食付き部３と平行ねじ部５及びねじ切り上げ部７（折損防止のための不完全ねじ部）で構成され、加工される雌ねじに前記ねじ切り上げ部７を入れない形状であり、このとき平行ねじ部５からねじ切り上げ部７の勾配角度は１５度前後が一般的である。
【０００３】
ここで、図４は従来の盛上げタップとそれで加工された雌ねじの断面形状を現し、ねじ下穴の面取り部は盛り上がりが不足し、雌ねじ入り口側の不完全ねじ部のシーム１４が雌ねじの完全ねじ部のシーム１２より大きくなる状況を示している。
【０００４】
従来の盛上げタップには前記平行ねじ部５の平行ねじ部の谷底１７の径を雌ねじの仕上がり内径寸法と同じ寸法に設定して、盛上げタップの平行ねじ部の谷底１７の径により雌ねじの完全ねじ部９の内径を仕上げる形状もある。
【０００５】
しかしながら、前述した従来の盛上げタップでは、雌ねじ入り口側の不完全ねじ部１０に発生する雌ねじ入り口側の不完全ねじ部のシーム１４が雌ねじの完全ねじ部のシーム１２より大きくなる現象を抑制できない。
【発明の開示】
【発明が解決しようとする課題】
【０００６】
盛上げタップにて加工した雌ねじ入り口はねじ下穴の面取りの影響があり、雌ねじ入り口側の不完全ねじ部のシーム１４が雌ねじ完全ねじ部のシーム１２より大きくなる現象が生じていた。
【０００７】
また、盛上げタップにて加工された雌ねじにボルトを挿入するときに、前記雌ねじ入り口側の不完全ねじ部のシーム１４にボルトのねじ山が入り、締結不良や雌ねじ損傷が発生する原因にもなっていた。
【０００８】
本発明は以上の事情を背景として試されたもので、盛上げタップにて加工された雌ねじ入り口側の不完全ねじ部のシーム１４の発生を抑制した盛上げタップを提供することを目的とする。
【課題を解決するための手段】
【０００９】
上記目的を達成するため、請求項１記載の本発明の盛上げタップは、食付き部３に連なるねじ山加工部４の平行ねじ部５のシャンク部８側後方に、雌ねじ入り口側の不完全ねじ部１０を再盛り上げて、雌ねじ入り口側の不完全ねじ部のシーム１４の発生を抑制するための再盛上げねじ部６を具えたことを特徴としている。
【００１０】
また、請求項２記載の本発明の盛上げタップは、 食付き部３に連なるねじ山加工部４の平行ねじ部５のシャンク部８側後方に、食付き部３と平行ねじ部５との交点付近の平行ねじ部より、正規のねじ山ピッチＰの０．０５〜０．３倍の範囲の値でねじの径を大きくした平行な再盛上げねじ部６を具えて、雌ねじ入り口側の不完全ねじ部１０を再盛り上げて、雌ねじ入り口側の不完全ねじ部のシーム１４の発生を抑制したことを特徴としている。
【００１１】
更に、請求項３記載の本発明の盛上げタップは、前記の平行な再盛上げねじ部６の径を大きくする過程を凸部１９の１凸〜盛上げタップ１回転にある凸数の範囲で階段状にして、雌ねじ入り口側の不完全ねじ部１０を再盛り上げて、雌ねじ入り口側の不完全ねじ部のシーム１４の発生を抑制したことを特徴としている。
【００１２】
そして、請求項４記載の本発明の盛上げタップは、食付き部３に連なるねじ山加工部４の平行ねじ部５のシャンク部８側後方に、テーパの勾配角度１６が２度〜９度の範囲となるテーパ状に大きくなる再盛上げねじ部６を具え、雌ねじ入り口側の不完全ねじ部１０を再盛り上げて、雌ねじ入り口側の不完全ねじ部のシーム１４の発生を抑制したことを特徴としている。
【００１３】
一方、請求項５記載の本発明の盛上げタップは、食付き部３に連なるねじ山加工部４の平行ねじ部５のシャンク部８側後方に、正規のねじ山ピッチＰの０．０３倍〜０．２倍の範囲でピッチを小さく補正したねじ山ピッチＰ１の再盛上げねじ部６を具えて、雌ねじ入り口側の不完全ねじ部１０を再盛り上げて、雌ねじ入り口側の不完全ねじ部のシーム１４の発生を抑制したことを特徴としている。
【発明の効果】
【００１４】
本発明の盛上げタップで加工された雌ねじは、雌ねじ入り口側の不完全ねじ部のシーム１４の発生を抑制する事により、雌ねじ入り口側の不完全ねじ部の再盛り上げしたシーム１３にボルトのねじ山が入るトラブルが解消され、締結不良や雌ねじ破損を防止することができる。
【発明を実施するための最良の形態】
【００１５】
以下、本発明の実施の形態を実施例によって、図１〜図４及び図８に基づき詳細に説明する。この実施例は前述した本発明の作用・効果を奏するものである。
【実施例１】
【００１６】
図８に示す、本発明の第１実施例の盛上げタップは食付き部３に連なるねじ山加工部４の平行ねじ部５のシャンク部８側後方に再盛上げねじ部６具えた形状例を示している。
【実施例２】
【００１７】
本発明に係る盛上げタップの第２実施例は図１に示すように、食付き部３に連なるねじ山加工部４の平行ねじ部５の食付き部３と反対側に具えた再盛上げねじ部６にて、雌ねじ入り口側の不完全ねじ部１０を再盛り上げし、雌ねじ入り口側の不完全ねじ部の再盛り上げしたシーム１３を図４に示す雌ねじ入り口側の不完全ねじ部のシーム１４より小さくする状況を現している説明図である。平行ねじ部５で盛り上げられた雌ねじ入り口側の不完全ねじ部１０は図４に示すように面取りの影響で盛り上がりが不足するが、その盛り上がりが不足したねじ山を、平行ねじ部５よりテーパ状に大きくなる再盛上げねじ部６にて再盛り上げすることによりシームを小さくする。この例は通り穴であるため、盛上げタップの食付き部３が雌ねじの完全ねじ部９を通過してから再盛上げねじ部６が雌ねじ入り口側の不完全ねじ山１０を加工し、雌ねじ入り口側の不完全ねじ部の再盛り上げしたシーム１３を形成する。
【実施例３】
【００１８】
図２に示す、本発明の第３実施例の盛上げタップは止まり穴用であるため、雌ねじのねじ立て長さを決めると同時に、雌ねじ入り口側の不完全ねじ部１０を再盛上げねじ部６にて加工する。この例の再盛上げねじ部６は平行なねじ部を３山具えているが、その１山が雌ねじの完全ねじ部９まで加工する状況を示している。
【実施例４】
【００１９】
図３に示す、本発明の第４実施例の盛上げタップは、再盛上げねじ部６にて図４に示す雌ねじ入り口側の不完全ねじ部１０を再盛上げ加工するために、正規のねじ山ピッチＰより小さく補正したねじ山ピッチＰ１にして、タップのピッチを補正した進み側フランク面２０にて再盛り上げを行う状況を示している。
【００２０】
以上、図示例に基づき説明したが、本発明は上記実施例に限定されるものでなく、本発明の趣旨を逸脱しない範囲で、雌ねじ入り口側の不完全ねじ部１０を再盛上げねじ部６の平行ねじ山数を増やしたり、その後ろをテーパ状にする等の各種変更が可能であることはいうまでもない。
【００２１】
また、本発明は従来の技術である油溝が付いているものや、表面処理を行うものにも適用できることはいうまでもない。
【００２２】
更に、凸部形状がスパイラル状に配置される盛上げタップ等の従来の技術の盛上げタップにも適用できる事はいうまでもない。
【図面の簡単な説明】
【００２３】
【図１】本発明の第２実施例の雌ねじ入り口側の不完全ねじ山をテーパ状の再盛上げねじ部で加工している状態の説明図である。
【図２】本発明の第３実施例の雌ねじ入り口側の不完全ねじ山の平行なねじ部の再盛上げねじ部の盛上げタップにて加工している状態の説明図である。
【図３】本発明の第４実施例のピッチを小さく補正した再盛上げねじ部の拡大説明図である。
【図４】従来技術の盛上げタップで加工された雌ねじ入り口側の不完全ねじ部のシームの状態説明図である。
【図５】盛上げタップのねじ断面形状の拡大説明図である。
【図６】従来技術の平行ねじ部よりシャンク側が細い盛上げタップの形状図である。
【図７】従来技術の平行ねじ部よりシャンク側が太い盛上げタップの形状図である。
【図８】本発明の第１実施例の平行ねじ部よりシャンク側が細い盛上げタップの形状図である。
【図９】本発明の平行ねじ部よりシャンク側が太い盛上げタップの形状図である。
【符号の説明】
【００２４】
１    盛上げタップ
２    ねじ部
３    食付き部
４    ねじ山加工部
５    平行ねじ部
６    再盛上げねじ部
７    ねじ切り上げ部
８    シャンク部
９    雌ねじの完全ねじ部
１０  雌ねじ入り口側の不完全ねじ部
１１  雌ねじ出口側の不完全ねじ部
１２  雌ねじの完全ねじ部のシーム
１３  雌ねじ入り口側の不完全ねじ部の再盛り上げしたシーム
１４  雌ねじ入り口側の不完全ねじ部のシーム
１５  雌ねじ出口側の不完全ねじ部のシーム
１６  テーパの勾配角度
１７  平行ねじ部の谷底
１８  再盛上げねじ部の谷底
１９  凸部
２０  タップのピッチを補正した進み側フランク面
Ｐ    正規のねじ山ピッチ
Ｐ１  補正したねじ山ピッチ
【図１】
2006159363.tif 000003
【図２】
2006159363.tif 000004
【図３】
2006159363.tif 000005
【図４】
2006159363.tif 000006
【図５】
2006159363.tif 000007
【図６】
2006159363.tif 000008
【図７】
2006159363.tif 000009
【図８】
2006159363.tif 000010
【図９】
2006159363.tif 000011